(57)【要約】【課題】多様な装飾性を実現でき、かつ容易に製作できて安価に製造できるエレベーター用操作器の表板を得る。【解決手段】基板１の裏面に取付具２を装着し、取付具２を介してエレベーター用操作器の内蔵機器を装着し、また合成樹脂製の透明板からなる表面板４を基板１の表面に装着する。そして、金属質感、適宜な装飾的模様等を表現する装飾層５を表面板４の裏面に配置する。これによって、表面板４の裏面に配置された装飾層５によって金属質感、適宜な装飾的模様等からなり表面形態が多様化された多種の表板の製作指定に対して容易に製作することができる。また、表面板４を射出成形の金型を使用せずに製造できるので、多様な表面形態に短時間で対応することができる。【選択図】        図２
2004189373.tif 000002
【特許請求の範囲】
【請求項１】
裏面に取付具が装着されてこの取付具を介して内蔵機器が装着された基板と、合成樹脂製の透明板からなり上記基板の表面に装着された表面板と、上記表面板の裏面に配置された装飾層とを備えたエレベーター用操作器の表板。
【請求項２】
装飾層を、基板に設けられた開口部からなる表示窓箇所を除く部位に配置されたものとしたことを特徴とする請求項１記載のエレベーター用操作器の表板。
【請求項３】
取付具を、基板に溶接された取付ねじ棒からなるものとしたことを特徴とする請求項１及び請求項２のいずれか一つに記載のエレベーター用操作器の表板。
【発明の詳細な説明】
【０００１】
【発明の属する技術分野】
この発明は、エレベーターのかごに設けられるかご操作盤、エレベーターの乗場に設けられる乗場ボタン等であってエレベーターの利用時に人為操作されるエレベーター用操作器の表板に関する。
【０００２】
【従来の技術】
従来のエレベーター用操作器の表板はステンレス鋼板等の金属板が加工されて製作され、ヘヤーライン仕上げ、金属染色等の表面処理による装飾面が形成される。そして、表板の裏面に取付ねじ棒が立植されて、この取付ねじ棒によって内側に設けられるボタン本体等の内蔵機器が締結されて装着される。また、表示部のための開口部がレーザ加工等によって表板に貫通して設けられ、またヘヤーライン仕上げ等の表面処理技術によって装飾面を形成する作業が行われる。（例えば、特許文献１、特許文献２参照）。
【０００３】
【特許文献１】
特開平１１−１１６１４９号公報（第２頁、第７図）
【特許文献２】
特開昭５５−４２９４３号公報（第２頁及び第３頁、第１図〜第３図）
【０００４】
【発明が解決しようとする課題】
従来のエレベーター用操作器の表板では、表面に取付ねじ棒のスタット溶接のためのスタット痕が発生し、また表板に形成された開口部の縁部にレーザ加工に起因するレーザ焼けが発生する。このため、これらのスタット痕等を除去するための仕上げ工程が必要となって煩雑な手数が掛かるという問題点があった。また、装飾面が金属着色技術によって形成された場合には、表板に設けられた押ボタンの周縁部の着色部が長期間の使用によって剥げて美観が損なわれるという問題点があった。また、表板の全体が金属製であるので重量が増し開閉しにくくなり、また表板を開閉するために頑丈なヒンジが必要となって製作費が嵩むという問題点があった。
【０００５】
この発明は、かかる問題点を解消するためになされたものであり、容易に製作でき、また多様な装飾面を実現できるエレベーター用操作器の表板を得ることを目的とする。
【０００６】
【課題を解決するための手段】
この発明に係るエレベーター用操作器の表板においては、裏面に取付具が装着されてこの取付具を介して内蔵機器が装着された基板と、合成樹脂製の透明板からなり基板の表面に装着された表面板と、この表面板の裏面に配置された装飾層とが設けられる。
【０００７】
【発明の実施の形態】
実施の形態１．
図１及び図２は、この発明の実施の形態の一例を示す図で、図１は正面図、図２は図１のＡ−Ａ線断面拡大図である。図において、鋼板等の金属板からなる基板１の裏面に取付ねじ棒からなる取付具２が装着される。そして、取付具２を介してエレベーター用操作器の押ボタンスイッチ等の内蔵機器（図示しない）が基板１に装着される。また、エレベーター用操作器に設けられる表示機器（図示しない）のための表示窓３が基板１を貫通して設けられる。
【０００８】
そして、合成樹脂製の透明板からなる表面板４が基板１の表面を覆って被着され、また表面板４の裏面に次に述べる装飾層５が配置される。すなわち、装飾層５は表面板４の裏面に、金属質感を表現するインクを使用して表示窓３箇所を除いた部位にシルク印刷したり、また表面板４の裏面に適宜な模様が印刷されたフィルムを表示窓３箇所を除いた部位に貼り付けたりして形成される。また、エレベーター用操作器には押ボタン６が設けられる。
【０００９】
上記のように構成されたエレベーター用操作器の表板において、表面板４の裏面に配置された装飾層５によって金属質感、適宜な装飾的模様等の多様な表面形態を実現することができる。これによって、多様な表面形態をなすエレベーター用操作器の表板を容易に製作することができる。また、表面板４を射出成形の金型を使用することなく製造することができるので、表面形態が多様化された多種の表板の製作指定に対して短時間で対応できると共に、製造費を節減することができる。
【００１０】
また、表面板４の外側から取付具２、すなわち取付ねじ棒のスタット溶接のためのスタット痕が見えることがなく、また表面板４の外側から表示窓３の貫通孔加工時のレーザ加工に起因するレーザ焼けが見えることがない。このため、スタット痕等を除去するための仕上げ工程を省くことができ、製作費を低減することができる。さらに、表面板４が合成樹脂製であって表面板４の裏面に装飾層５が設けられるため、表板に設けられた押ボタン６の周縁部等における装飾層５が長期間の使用によって剥げて美観が損なわれる不具合の発生を解消することができる。
【００１１】
また、表面板４が合成樹脂製であるため、表板を軽量に製作できて保守点検時に軽快に開閉できる。したがって、保守作業が容易にできて作業能率を向上することができる。また、表板を軽量化できるので、表板を開閉するためのヒンジ機構を軽易化することができて製作費を節減することができる。
【００１２】
さらに、表面板４が合成樹脂製であるため表面にエレベーターの乗客の指紋が付着しても目立ち難く、容易に清潔感を保つことができる。また、表示窓３箇所を除いた部位に装飾層５を設けることによって、表面板４に直接に表示窓３を形成することができる。このため、表示窓に装着される透明板等の余計な部品を使用して表示窓３を形成する必要がなく、余計な部品を使用することによる美観の低下、製作費の増大を防ぐことができる。
【００１３】
【発明の効果】
この発明は以上説明したように、裏面に取付具が装着されこの取付具を介して内蔵機器が装着された基板と、合成樹脂製の透明板からなり基板の表面に装着された表面板と、この表面板の裏面に配置された装飾層とを設けたものである。
【００１４】
これによって、表面板の裏面に配置された装飾層によって金属質感、適宜な装飾的模様等の多様な表面形態を実現することができ、また多様な表面形態をなすエレベーター用操作器の表板を容易に製作することができる。また、表面板を射出成形の金型を使用することなく製造することができるので、表面形態が多様化された多種の表板の製作指定に対して短時間で対応できると共に、製造費を節減する効果がある。
【図面の簡単な説明】
【図１】この発明の実施の形態１を示す正面図。
【図２】図１のＡ−Ａ線断面拡大図。
【符号の説明】
１  基板、２  取付具、３  表示窓、４  表面板、５  装飾層。
【図１】
2004189373.tif 000003
【図２】
2004189373.tif 000004